(57)【要約】【課題】  剥離シートの剥離操作が容易であり、適用患部に容易的確に貼付でき、かつ、適用部位やケース毎に使い分けできる剥離方法や適用方法の使用選択性を有する貼付剤を提供する。【解決手段】  伸縮性を有する支持体と、該支持体の一面の略全面に積層された膏体と、該膏体の全面を略二分して被覆する二枚の剥離シート（第一剥離シートと第二剥離シート）とを備えた貼付剤であって、該貼付剤が、（１）該貼付剤の両端部を持って左右に引張ることにより、剥離シートが分断され、適用する膏体面を露出させる機能と、（２）該剥離シートに形成された摘み部を持って、引き剥がすことにより、適用する膏体面を露出させる機能、とを有する。【選択図】  図２
2007068948.tif 000002
【特許請求の範囲】
【請求項１】
伸縮性を有する支持体と、該支持体の一面の略全面に積層された膏体と、該膏体の全面を略二分して被覆する、第一剥離シートと第二剥離シートから構成される二枚の剥離シート、とを備えた貼付剤であって、該貼付剤が、
（１）該貼付剤の両端部を持って左右に引張ることにより、剥離シートが分断され、適用      する膏体面を露出させる機能、と
（２）該剥離シートに形成された摘み部を持って、引き剥がすことにより、
適用する膏体面を露出させる機能、
とを有することを特徴とする貼付剤。
【請求項２】
伸縮性を有する支持体と、該支持体の一面の略全面に積層された膏体と、該膏体の全面を略二分して被覆する、エンボス加工部が形成された、第一剥離シートと第二剥離シートとを備えた貼付剤であって、
該第一剥離シートは、貼付剤の略真中位置において谷線状の折り返し部を形成するように、端部で折り返され、凸状の端縁形状を有する、第一摘み部を有し、
該第二剥離シートは、該第一摘み部の上に重ねられていて、
該貼付剤が、
（１）該貼付剤の両端部を持って左右に引張ることにより、剥離シートが分断され、適用      する膏体面を露出させる機能、と
（２）該剥離シートに形成された摘み部を持って、引き剥がすことにより、
適用する膏体面を露出させる機能、
とを有することを特徴とする貼付剤。
【請求項３】
前記第一剥離シートは、貼付剤の略真中位置において谷線状の折り返し部を形成するように、端部で折り返され、凸状の端縁形状を有する、第一摘み部を有し、
前記第二剥離シートは、該第一摘み部の上に重ねられ、凸状の端縁形状を有する、第二摘み部を有し、
上記第一摘み部と第二摘み部は、お互いの端縁における凸部どうしが、お互いにずらされて配置され、前記谷線状の折り返し部から凸状端縁までの長さが、該第一摘み部より該第二摘み部の方が３ｍｍ以上長く形成されていることを特徴とする請求項１または２に記載の貼付剤。
【請求項４】
前記谷線状の折り返し部から凸状端縁までの長さが、該第一摘み部においては、５〜２０ｍｍ、該第二摘み部においては、１０〜２５ｍｍに形成されていることを特徴とする請求項３に記載の貼付剤。
【請求項５】
前記第一摘み部の凸状形状と、前記第二摘み部の凸状形状が異なる形状で与えられていることを特徴とする請求項３または４に記載の貼付剤。
【請求項６】
前記第一剥離シートおよび前記第二剥離シートが、全面またはドット状に着色されていることを特徴とする請求項１から５の何れか１項に記載の貼付剤。
【発明の詳細な説明】
【技術分野】
【０００１】  本発明は、貼付剤に関する。更に詳しくは、容易に貼付剤の剥離シートを剥がすことができ、患部に容易に貼付適用することができる貼付剤に関するものである。
【背景技術】
【０００２】  従来、肩、肘、膝、足首等の痛みに対する療法として湿布剤（パップ剤）等の貼付剤が広く利用されており、膏体面全面に単純に１枚の剥離シートを取り付けたものと、剥離のし易さと利便性を高めるように切れ目部を有する１枚の剥離シートを取り付けたもの（特開平８−１１２３０５）、更には２枚の剥離シートを取り付けたもの（特開２００２−６５７２６）が知られている。【０００３】  しかし、これら剥離シートは、未だ膏体面から剥がすのに苦労しており、全ての適用患部や適用ケースにおいて利便性が改良されたものはなく、さらに優れた貼付剤が望まれていた。具体的に示すと、一般に多く使われている１枚の剥離シートを取り付けたものは、剥離シート隅部を何度も爪で探って剥がすもので、高齢者等に大変不便なものであった。【０００４】  これを改良すべく１枚の剥離シートに切れ目部を有するもので左右に引張ることにより剥がすものが提案されているが、左右に引張った時、分断された部位がめくりあがらず、その剥離シートを摘み取ることができないことがあった。また、膝に適用する際は好ましいが、肩や背中等に適用する時は、ほとんど利便性効果を示さなかった。更に、肩に貼る時や背中へ他人に貼ってもらう時等では、患部に好ましい適用面積で貼付したい事が多いのに対し、左右に引張るものでは貼付剤が伸びて変形してしまう問題があった。また、勿論、膝等においても、変形させずに適用したい場合があるが、この時も仕方なく左右に引張って伸ばした状態で貼付していた。【０００５】  更に２枚の剥離シートを取り付けたものが提案されているが、交互に連続する凸凹形状の摘み部が平行位置に同じ大きさ同様形状で存在するため、間違って下側摘み部をつまんでしまう事があり、問題であった。また、左右に引張ることにより剥離シートを分断させ、膏体面を露出させることは全く思考されていなかった。
【特許文献１】  特開平８−１１２３０５号公報
【特許文献２】  特開２００２−６５７２６号公報
【発明の開示】
【発明が解決しようとする課題】
【０００６】  こういった背景のもと、より容易に貼付剤の剥離シートを剥がすことができ、より容易にまた的確に適用患部に貼付することができる貼付剤が求められていた。また更に、適用部位やケース毎に、適切な方法で容易に剥離および貼付することができる使用選択性のある貼付剤が求められていた。【０００７】  本発明は、以上のような課題に鑑みてなされたものである。その目的は、剥離シートの剥離操作が容易であり、適用患部に容易的確に貼付でき、かつ、適用部位やケース毎に使い分けできる剥離方法や適用方法の使用選択性を有する貼付剤を提供することにある。
【課題を解決するための手段】
【０００８】  以上のような目的を達成するために鋭意研究を行い、探索したところ、伸縮性を有する支持体と積層された膏体の上に、二つの剥離機能を有する剥離シートを積層させたことにより、剥離シートの剥離操作が容易であり、適用患部に容易的確に貼付でき、かつ、適用部位やケース毎に使い分けできる剥離の使用選択性を有する、優れた貼付剤が得られることを見出し、本発明にいたった。【０００９】  すなわち、本発明は、伸縮性を有する支持体と、該支持体の一面の略全面に積層された膏体と、該膏体の全面を略二分して被覆する、第一剥離シートと第二剥離シートから構成される二枚の剥離シート、とを備えた貼付剤であって、該貼付剤が、
（１）該貼付剤の両端部を持って左右に引張ることにより、剥離シートが分断され、適用      する膏体面を露出させる機能、と
（２）該剥離シートに形成された摘み部を持って、引き剥がすことにより、
適用する膏体面を露出させる機能、
とを有することを特徴とする貼付剤、を提供するものである。【００１０】  更には、伸縮性を有する支持体と、該支持体の一面の略全面に積層された膏体と、該膏体の全面を略二分して被覆する、エンボス加工部が形成された、第一剥離シートと第二剥離シートとを備えた貼付剤であって、該第一剥離シートは、貼付剤の略真中位置において谷線状の折り返し部を形成するように、端部で折り返され、凸状の端縁形状を有する、第一摘み部を有し、該第二剥離シートは、該第一摘み部の上に重ねられていて、
該貼付剤が、
（１）該貼付剤の両端部を持って左右に引張ることにより、剥離シートが分断され、適用      する膏体面を露出させる機能、と
（２）該剥離シートに形成された摘み部を持って、引き剥がすことにより、
適用する膏体面を露出させる機能、
とを有することを特徴とする貼付剤、を提供するものである。
【発明の効果】
【００１１】  本発明によれば、剥離シートの剥離操作が容易であり、適用患部に容易的確に貼付でき、かつ、適用部位やケース毎に使い分けできる、剥離や適用方法の使用選択性を有する。
【発明を実施するための最良の形態】
【００１２】  以下、本発明の実施形態の一例について説明するが、本発明は以下の実施形態に限定されない。本発明の貼付剤は、伸縮性を有する支持体と、該支持体の一面の略全面に積層された膏体と、該膏体の全面を略二分して被覆する二枚の剥離シート（：第一剥離シートと第二剥離シート）と、を備えた貼付剤であり、剥離シートを剥がす際、二つの剥離機能を有する。【００１３】  （１）一つは該貼付剤の両端部を持って左右に引張ることにより、剥離シートが分断され、適用する膏体面を露出させる機能であり、露出された膏体面を患部に貼着し、分断された各シートを摘んで左右に引張るだけで簡単に患部貼着することができる。これにより、特に、膝や足首等に貼付適用する際は、手を汚さず、剥離し易く、患部に適用するのも簡単であり、利便性が良く好適である。【００１４】  一方、（２）該剥離シートに形成された摘み部を持って、引き剥がすことにより、適用する膏体面を露出させる機能を有しており、露出された膏体面を患部に貼着し、摘み部を持って左右に引張るだけで簡単に患部貼着することができる。これにより、特に、肩や肘等に適用する時は、剥離し易く、患部に適用するのも簡単であり、利便性が良く好適である。【００１５】  また、適用箇所に関わらず、患部に好ましい適用面積で貼付したい時にこの方法は好適であり、またできるだけずれがなく貼付したい際、一枚剥離シートを剥がして膏体面を患部に貼り、残りのシートを引けばより的確に貼付できる。例えば、上側の第二剥離シートを剥がし、剥がしていない第一剥離シート部を手で持って移動させ、露出した膏体面を患部に貼付する。この際、位置がずれて貼付してしまっても直ぐ持ち上げて再貼付でき操作性が良く、剥離シート部を持つので手や爪が汚れることもない。また、膏体面一部を患部に貼って、固定した状態から残りのシートを引くので、ずれる事無く、皺ができることもなくきれいに患部へ貼付できる。【００１６】  本発明貼付剤は以上の二つの剥離機能を有することより、患者が使用時に適時適用方法を選択することができる利点を持つ。またこの二つの機能があれば、一般に貼付剤が使用される患部（肩、肘、膝、足首、腰等）全てに対応でき優れた貼付剤となる。【００１７】  本発明貼付剤は、該膏体の全面を略二分して被覆する二枚の剥離シートを有し、第一剥離シートと第二剥離シートで構成される。該第一剥離シートは、特に限定されないが、貼付剤端辺から膏体面を被覆し、貼付剤の略真中位置において谷線状の折り返し部を形成するように、端部で折り返され、凸状の端縁形状を有する、第一摘み部を有するものが好ましく、該第二剥離シートは、該第一摘み部の上に重ねられていて、好ましくは、凸状の端縁形状を有する、第二摘み部を有する方がより好適である。【００１８】  これにより、（１）貼付剤の両端部を持って左右に引張ることにより剥離シートを剥がす時、従来のものは分断された剥離シートのそり返りが少なく、摘めないことがあったが、本発明では、第一剥離シートは折り返された第一摘み部を有するので、これにより確実に摘み部を持って剥がすことができ、第二剥離シートは第一剥離シートの上側に重なっている状態なので、問題なく剥がすことができる。また���第二剥離シートに第二摘み部があればより摘みやすく好適である。【００１９】  また、該第一剥離シートの折り返し部は、貼付剤の略真中位置において谷線状を形成するようにしたものが良く、これにより左右に引張った時、上手く左右分断され易い。折り返し部が略真中からずれて形成されたものは、きれいに分断できないことがある。【００２０】  一方、（２）該剥離シートに形成された摘み部を持って、引き剥がすことにより、適用する際は、上記同様の理由により、問題なく、摘み部を持って剥がし、患部に適用することができる。【００２１】  また、上記第一摘み部と第二摘み部は、お互いの端縁における凸部どうしが、お互いにずらされて配置された方が好ましく、前記谷線状の折り返し部から凸状端縁までの長さが、該第一摘み部より該第二摘み部の方が３ｍｍ以上長く、好ましくは４．５ｍｍ以上、更に好ましくは４．９ｍｍ以上長く形成されている方がより良い。これにより、摘み部を持つ際、両方の摘み部を同時に摘んでしまうことがなく、また上側の第二剥離シートにある第二摘み部の方が、被さるように長めに形成されているので、間違って下側の第一摘み部を摘んでしまうことがなく、確実に第二摘み部を摘み剥がせる。【００２２】  また、更には、前記谷線状の折り返し部から凸状端縁までの長さが、該第一摘み部においては、５〜２０ｍｍ、該第二摘み部においては、１０〜２５ｍｍに形成されていることがより望ましい。尚この長さは、凸状の頂上までの長さを意味し、折り返し部の谷線から垂直方向へ一番長い地点までの長さを示している。第一摘み部において、５〜２０ｍｍより短く形成した場合は、指で摘み難くなり、長すぎると第二摘み部を摘む際、誤って第一摘み部を摘んでしまうことがある。一方、第二摘み部においては、１０〜２５ｍｍより短く形成した場合は、第二摘み部を摘む際、誤って第一摘み部を摘んでしまうことがあり、長すぎると、左右に引張って剥がす機能を利用する際、的確に膏体面が露出しないことがある。【００２３】  また、第一摘み部の凸状形状と、第二摘み部の凸状形状が異なる形状で与えられているものがより良い。形状が違うことにより目で確認できるので、誤って異なる摘み部を摘んでしまう事がない。また、形状が違うので、包装袋や説明書等において説明し易い。例えば、図１〜６のように（富士山の様な）台形形状の第一摘み部と半円形状の第二摘み部を施せば、区別し易くまた説明し易く好適である（図６等参照）。【００２４】  また、特に限定されないが、第一摘み部と第二摘み部の数は、それぞれ１〜４個ずつ形成させるのが良く、１〜３個ずつ形成させるのがより好ましい。また、特に限定されないが、第一摘み部と第二摘み部の大きさは、指で摘めるように幅２ｃｍ以上、２．５ｃｍ２以上に備えられた方が好ましい。【００２５】  また、本発明貼付剤の剥離シートは、エンボス加工されたものが良く、これにより貼付剤を持って左右に引張る時、また摘み部を摘む際、指が滑ることが無く、好ましい。また、フラット形状の剥離シートの場合、重なり部分が密着してしまうことがあるが、エンボス加工の剥離シートではこのようなことがなく好適である。【００２６】  また、特に限定されないが、本発明貼付剤の第一剥離シートおよび第二剥離シートが、全面またはドット状に着色されている方がより好ましい。また部分的ではなく、全面的に着色またはドット状着色されたものが更に好ましい。これにより白い膏体面と着色された剥離シート面が区別し易くなる。また、剥離シートが床に落ちた際、全面着色なので見分け易く、誤って剥離シートを踏んで滑ることもなくなる。また、部分的に着色したシートは着色部分がずれて形成されることがあるが、全面的に着色したものは製造上容易で印刷ずれ等のトラブルがない。また、着色は半透明を有するように着色形成される方が良く、これにより、図４の説明図に示されるように、本発明貼付剤の剥離シートは中央重なり部が二重・三重となり濃色部分が表れ、摘み部が目視し易くなる。【００２７】  ここで、剥離シートは、ポリプロピレン、ポリエチレンテレフタレート、ポリエチレン、ポリエステル等のプラスチックフィルム、合成紙、加工紙、アルミ箔等が用いられる。剥離シートの厚みは、１０μｍ〜８０μｍ、好ましくは２０μｍ〜４０μｍが好ましく、薄すぎると摘み難く、製造の作業性で問題あり、厚すぎると、製造でのシート切断作業等の問題があり、コスト面でも不適である。【００２８】  支持体としては、不織布、織布、編布等の伸縮性のものが用いられる。本発明貼付剤は左右に引張って剥離シートを分断させて剥がすことができるように伸縮性が必要である。特に限定されないが、引張る方向（通常、長辺を引き伸ばす方向）の５０％モジュラス（ｋｇ／２．５ｃｍ）が０．０３〜０．１８のものが良く、０．０５〜０．１５のものがより好ましく、０．０５〜０．１のものが更に好ましい。【００２９】  膏体は、特に限定されず、本発明貼付剤を左右に引張って剥離シートを分断させて剥がす際、抵抗とならないようにある程度の柔軟性を持っていれば良く、一般にパップ剤（湿布剤）等の貼付剤に用いられているものが使用可能である。【００３０】  本発明の貼付剤とは、特に限定されず、パップ剤、プラスター剤（硬膏剤）、テープ剤、冷却シート、褥瘡用シート、化粧用途のシート等の貼付剤を示し、何れにおいても使用可能である。また特にパップ剤においてより効果を発揮する。
【実施例】
【００３１】以下、更に実施例にて説明する。
「実施例１」
精製水にカルボキシメチルセルロ−スナトリウムをグリセリンに分散した液を加えた後、ゼラチンを加え溶解する。ついでポリアクリル酸ナトリウム部分中和物、ポリアクリル酸ナトリウム、水酸化アルミニウム、トリオレイン酸ポリオキシエチレンソルビタンをグリセリンに分散した液を加え、充分練合した後、さらに、あらかじめケトプロフェンをＮ−メチル−２−ピロリドンとｌ−メントールに溶解した液を加えた後、ｐＨ調整剤、エデト酸ナトリウム、チモール、無水ケイ酸の成分を添加し、充分練合し、ケトプロフェン含有膏体を得た。得られた膏体をポリプロピレン不織布の支持体に展延（塗工厚０．８ｍｍ）し、ポリプロピレン製フィルム（エンボス加工）の剥離シート二枚（第一剥離シートと第二剥離シート）でカバ−して１０ｃｍ×１４ｃｍに裁断調整し、貼付剤（パップ剤）を作製した。【００３２】  剥離シートの形状（構造）は、図１〜３のように構成させた。すなわち、第一剥離シートは、貼付剤の略真中位置において谷線状の折り返し部を形成するように、端部で折り返され、台形型凸状の端縁形状を有する、第一摘み部を施し、谷線状の折り返し部から凸状端縁までの長さを１５ｍｍに形成し、第二剥離シートは、該第一摘み部の上に重ねられ、半円型凸状の端縁形状を有する、第二摘み部を有し、谷線状の折り返し部から凸状端縁までの長さを２０ｍｍに形成し、上記第一摘み部と第二摘み部は、お互いの端縁における凸部どうしが、お互いにずらされて配置され、前記谷線状の折り返し部から凸状端縁までの長さが、第一摘み部より第二摘み部の方が５ｍｍ長くなるように形成させた。【００３３】「実施例２」
二枚の剥離シート全面に、水色のドット印刷を施した以外は、実施例１に従い作成した。尚、これにより貼付剤中央の重なり部分は、図４の説明図のように濃淡が表れる。【００３４】「比較例１」
剥離シートを一枚（１０ｃｍ×１４ｃｍ）とし、膏体面をこれで被覆したこと以外は、実施例１に従い作成した。【００３５】「比較例２」
剥離シートを特許文献１「特開平８−１１２３０５号公報」の実施例１に従い形成させたこと以外は、本発明の実施例１に従い作成した。【００３６】「比較例３」
剥離シートを特許文献２「特開２００２−６５７２６号公報」の図２に従い、同様の形状を形成させたこと以外は、本発明の実施例１に従い作成した。【００３７】「比較例４」
第一剥離シートにおいて、第一摘み部を切断取り除き、折り返し部や摘み部を持たない剥離シート（１０ｃｍ×７ｃｍ，長方形）としたこと以外は、本発明の実施例１に従い作成した。【００３８】＜官能評価＞
各貼付剤を用い、剥離シートの剥がし易さ、および各患部への適用のし易さを官能評価した。
「評価基準（剥離シートの剥がし易さ）」
◎：容易に剥離できる。
○：やや容易に剥離できる。
△：やや剥離し難い。
×：剥離し難い。【００３９】「評価基準（患部への適用し易さ）」
◎：容易に患部適用できる。
○：やや容易に患部適用できる。
△：やや適用し難い。
×：患部に適用し難い。【００４０】
【表１】
2007068948.tif 000003
【００４１】  表１から分かる通り、実施例１と実施例２は何れも、剥離シートが剥がし易く、どの患部でも貼付適用し易かった。一方、各比較例は、各項目ごとに欠点を有し、全てにおいて良好な結果を示すものは無かった。
【産業上の利用可能性】
【００４２】  本発明の貼付剤によれば、剥離シートの剥離操作が容易であり、適用患部に容易的確に貼付でき、かつ、適用部位やケース毎に使い分けできる剥離や適用方法の使用選択性を有する、優れた貼付剤を提供できる。
【図面の簡単な説明】
【００４３】
【図１】本発明の実施形態（実施例１）における貼付剤を示す正面図である。
【図２】本発明の実施形態（実施例１）における貼付剤の剥離シート摘み部を持ち上げた状態の斜視図である。
【図３】本発明の実施形態（実施例１）における貼付剤の剥離シート摘み部を持ち上げた状態の側面図である。
【図４】本発明の別の実施形態（実施例２）における貼付剤を示す説明用の正面図である。
【図５】本発明の別の実施形態における貼付剤の剥離シート摘み部を持ち上げた状態の斜視図である。
【図６】本発明貼付剤の二つの使用方法を示した説明図である。
【符号の説明】
【００４４】  １．  第一剥離シート
２．  第二剥離シート
３．  第一摘み部
４．  第二摘み部
５．  折り返し部
６．  支持体
７．  膏体
【図１】
2007068948.tif 000004
【図２】
2007068948.tif 000005
【図３】
2007068948.tif 000006
【図４】
2007068948.tif 000007
【図５】
2007068948.tif 000008
【図６】
2007068948.tif 000009